(57)【特許請求の範囲】
【請求項１】
濾過装置、循環ポンプヒータ、殺菌装置等の各種清浄化処理機器をまとめて収納した装置本体と浴槽に外側から固定して取付けたプレフィルタ装置並びにジェット噴出装置とを吸湯管並びに噴湯管とで接続して浴槽湯の強制循環路を形成し浴槽内の湯の清浄化処理をする浴槽湯の清浄化装置において、前記ジェット噴出装置を、湯中に混入する空気を吸い込むための吸気管を接続するために先端が開口したジェット本体の後端に吸気口を後方に延ばして設け、前記ジェット本体に嵌め合わせて取付けるための取付板を有するノズル管を前記ジェット本体に装着し、前記ジェット本体に装着された前記ノズル管の後ろに、弁ケースの内部に形成された弁座に弁体を収納し弁蓋で閉じて一体化して形成された逆止弁を配備するとともに、該逆止弁を一体化した状態のまま浴槽内から着脱自在に直接装着するように構成したことを特徴とする浴槽湯の清浄化装置。
【請求項２】
前記ジェット噴出装置を、前記ジェット本体に対して前記ノズル管を浴槽内から着脱自在に装着して構成したことを特徴とする請求項１記載の浴槽湯の清浄化装置。
【発明の詳細な説明】
【０００１】
【発明の属する技術分野】
本発明は浴槽装置に係り、特に浴槽内の湯を吸い込んで濾過等の清浄化処理を行った後再び浴槽内に噴出させる浴槽湯の清浄化装置のジエット噴出装置に関するものである。
【０００２】
【従来の技術】
最近、浴槽内の湯を循環ポンプで吸い上げ濾過装置で汚れを濾過し、ヒータで加熱し、さらにはオゾンで殺菌し、湯を絶えず清浄に保ち２４時間いつでも入浴できるようにした、いわゆる２４時間風呂装置としての浴槽湯清浄化装置が開発され広く利用されるようになった。
【０００３】
この浴槽湯清浄化装置の一例は図４に示す通りであり、活性炭、麦飯石等の各種濾材が充填され湯を濾過するための濾過装置５、湯を強制循環するための循環ポンプ６、湯を適温に保温するためのヒータ７が連結管で互いに直列に連結され、さらに湯中にオゾン化した空気を混入してオゾン殺菌するためのオゾン発生装置としてのオゾンナイザ８が一体として装置本体４に収納されている。
【０００４】
この装置本体４の濾過装置５には浴槽１から清浄化処理する湯を吸い込むための吸湯管３が、ヒータ７には清浄化処理の終わった湯を浴槽１に再び噴出するための噴湯管９が各々接続し浴槽１内の湯２の清浄化処理のための強制循環路が形成されている。
【０００５】
吸湯管３の先端には大きな汚れを取り除くためのスポンジ等の濾材を収納したプレフィルタ装置１０が取り付けられ、噴湯管９の先端には、清浄化処理の終わった湯をジエット流として浴槽中に噴出していわゆる泡風呂を楽しめるようにするため、ジエット噴出装置１１が取り付けられている。
【０００６】
ジエット噴出装置１１は、図５に示すように、噴湯管９から湯を導入する導湯管１４、導湯管１４から導入された湯の流速を速める先細の絞り管１５、絞り管１５で流速が速められた湯が噴出され負圧を形成する負圧管１６、及びノズル管１７が連接し、負圧管１６に吸気口１８を設けて基本的に構成されている。
【０００７】
前記したように構成されるジエット噴出装置１１は、吸気口１８に途中にオゾナイザ８を配備し、先端には電磁弁１３を配備した吸気管１２が接続され、負圧管１６で形成される負圧力に基づいて吸気管１２から空気が吸い込まれるようになっている。
【０００８】
前記装置では、浴槽１内の湯２は、循環ポンプ６の作動によりプレフィルタ装置１０から大きな汚れを取り除かれつつ吸い上げられ、吸湯管３を介して装置本体４に入り、先ず濾過装置５で濾過され、続いてヒータ７で保温された後、噴湯管９を介してジエット噴出装置１１から浴槽１に再び噴出される。
【０００９】
この際、電磁弁１３が閉じられていればジエット噴出装置１１からは湯は通常の状態で噴出されるが、電磁弁１３が開いている場合には吸気管１２から吸気され、湯の中に空気が混合したジエット流が噴出され泡風呂となり、オゾナイザ８が作動していればオゾン化された空気がジエット流とし浴槽１に噴出され、湯２がオゾン殺菌される。
【００１０】
以上のように構成される浴槽湯の清浄化装置は、従来は装置本体４を床に置いたり、壁に取り付けたり、或いは浴槽の縁に乗せたりして浴室内の適当な位置に先ず配置し、次いでプレフィルタ１０及びジエット噴出装置１１を別々或いは図６に示すように一体の吸噴湯ユニットとして浴槽１の内壁の適当な位置に吸盤等を利用しながら着脱自在に取り付け、最後に装置本体４とプレフィルタ１０並びにジエット噴出装置１１とをフレキシブルな吸湯管３、噴湯管９及び吸気管１２で連結して浴槽１対して配備していた。
【００１１】
この浴槽湯の清浄化装置において、循環ポンプの作動が止められたり、ジエット噴出装置１１の噴出口が塞がれたりして湯の流れが止まると吸気管１２に湯が逆流してしまい、その後湯が流れても吸気管１２内に湯が貯まっていると円滑に吸気できなくなり泡風呂やオゾン殺菌の機能が発揮できなくなり、さらにオゾナイザ８が濡れて故障してしまったりする。
【００１２】
このため吸気管１２の配管の際には、逆流した湯が管の折れ曲がり部に貯まってしまわないようにジエット噴出装置１１の吸気口１８に近い位置に逆止弁１９を取り付け湯は吸気管１２内には絶対に逆流しないようにしている。
【００１３】
前記したようにジエット噴出装置１１を浴槽１の内壁に着脱自在に取り付けるようなタイプの装置の場合は、ジエット噴出装置１１に吸気管１２を何にも邪魔されないで自由に配管できるので、吸気管１２の吸気口１８の近くに逆止弁１９を取り付けたり、又一旦取り付けた逆止弁をメンテイナンスのために取り外し再び取り付けたりするのに何ら問題がない。
【００１４】
【発明が解決しようとする課題】
前記したように吸噴ユニットを浴槽内に取り付けるタイプの装置では配管が浴室内で見えて見苦しいので、配管が浴室内で一切見えないようにするため装装置本体４を浴室の外に置き浴室の壁を外から通して配管する外置きタイプや、装置本体４を浴室の壁に取り付け壁内を通して配管するユニットバスタイプの装置も最近多く利用されるようになった。
【００１５】
ところがこのようなタイプの装置では、メンテイナンスの都合で吸気管１２には逆止弁を浴室の外或いは装置本体４の中のようにジエット噴出装置１１の吸気口からかなり離れた位置で取り付けなければならなくなり湯の吸気口１８の近くで湯の逆流を防げなくなり、前記したような逆流した湯が管内の折り曲がり部に貯まってしまう問題が起きてしまう。
【００１６】
すなわち、外置きタイプやユニットバスタイプの装置の場合には、図７に示すように、壁２２を外から或いは中から通して浴室内に出した吸湯管３、噴湯管９及び吸気管１２を、壁２２に密着して設置した浴槽１の取付穴２０及び２１にフランジやパッキンを用いながら固定して取り付けたプレフィルタ１０及びジエット噴出装置１１に浴槽１の外側で接続し、配管が浴槽１の陰に隠れて浴室内には一切見えないようにする。
【００１７】
このような配管で吸気管１２にジエット噴出装置１１の吸気口１８の近くに逆止弁１９取り付けると、ジエット噴出装置１１を取り外した後浴槽１を動かさなければ逆止弁１９は取り外せないので、メンテイナンスが大変し難くなってしまう。
【００１８】
このため、このような装置では吸気管１２には逆止弁１９を浴室の外又は装置本体４の中で取り付けなければならなくなり、ジエット噴出装置１１の吸気口の近くで吸気管１２に湯が逆流するのを止められなくなってしまい、しかも吸気管１２の配管においては逆止弁１９が取り付けられた位置までの間にはどうしても折り曲が部ができて逆流した湯が貯まってしまうようになる。
【００１９】
本発明は、前記したような従来技術の欠点を解消して、浴室内に配管が一切見えないでしかも逆止弁のメンテイナンスには一切支障がない状態でジエット噴出装置１１から吸気管１２への湯の逆流を完全に防げるようにした装置を提供することを目的とする。
【００２０】
【課題を解決するための手段】
本発明は、濾過装置、循環ポンプヒータ、殺菌装置等の各種清浄化処理機器をまとめて収納した装置本体と浴槽に外側から固定して取付けたプレフィルタ装置並びにジェット噴出装置とを吸湯管並びに噴湯管とで接続して浴槽湯の強制循環路を形成し浴槽内の湯の清浄化処理をする浴槽湯の清浄化装置において、前記ジェット噴出装置を、湯中に混入する空気を吸い込むための吸気管を接続するために先端が開口したジェット本体の後端に吸気口を後方に延ばして設け、前記ジェット本体に嵌め合わせて取付けるための取付板を有するノズル管を前記ジェット本体に装着し、前記ジェット本体に装着された前記ノズル管の後ろに、弁ケースの内部に形成された弁座に弁体を収納し弁蓋で閉じて一体化して形成された逆止弁を配備するとともに、該逆止弁を一体化した状態のまま浴槽内から着脱自在に直接装着するように構成したことを特徴とする浴槽湯の清浄化装置とすることにより課題を解決することができた。
さらに本発明は、前記ジェット噴出装置を、前記ジェット本体に対して前記ノズル管を浴槽内から着脱自在に装着して構成したことにより課題を解決することができた。
【００２１】
【発明の実施の形態】
次に図面に基づいて本発明の実施の形態について説明する。
【００２２】
図１に本発明のジエット噴出装置１１の第１の実施例の縦断面図が示され、２３がジエット本体であり、このジエット本体２３は、先端が開口した取付管２４の後端に導湯管２５及び吸気口２６が後方に延びて接続した構成となっている。
【００２３】
２７が先細の絞り管で、ジエット本体２３の導湯管２５の先端開口にはめられ、２８が負圧管２９とノズル管３０とを接続したノズル体であり、負圧管２９の後端には中央に絞り管２７の先端にはめ合わされる接続口３１が設けられ、この接続口３１の周囲には複数の通気穴３２が設けらている。
【００２４】
ノズル体２８の負圧管２９とノズル管３０との接続部の外周にはノズル体２８をジエット本体２３に取付管２４はめ合わせて取り付けるための取付板３３が設けられ、この取付板３３には逆止弁を取り付けるためのねじ穴３４が設けられている。
【００２５】
以上のようにジエット本体２３とノズル体２８とを構成し、先ず、ノズル体２８を取付板３３をねじ穴３４を吸気口２６に対向させながら取付管２４にはめ、負圧管２９の後端接続口３１を絞り管２７の先端にはめた後固定して取り付け、その後、逆止弁３８を取付板３３に設けたねじ穴３４にねじ止めしながら吸気口部２６の先端開口に取り付け、ジエット噴出装置１１を形成する。
【００２６】
以上のようにして形成されたジエット噴出装置１１は、浴槽１に取付穴２０にパッキン３５及び３６並びにフランジ３７を用いて常法に従い外側より取り付ける。
【００２７】
このようにジエット噴出装置１１をプレフィルタ装置１０と共に浴槽１に外側から取り付けると、ノズル管部３０の先端部のみが浴槽１内に突出し、導湯管部２５及び吸気口部２６は浴槽１の外側に配備され、噴湯管９及び吸気管１２を接続しても勿論浴槽１の陰に隠れて浴室内に見えないようにして配管できる。
【００２８】
逆止弁３８の構成は図２に示す通りであり、３９が両端が開口し中央で弁座４０で仕切られて前方が弁室４１となり後方が取付管４２となった筒状の弁ケースであり、弁座４０には弁取付穴４３と、この弁取付穴４３の周囲に複数の通気穴４４とが設けられ、弁室４１の外周には先端にねじ部４５が設けられ、さらに中央に複数の通気穴４６が設けられている。
【００２９】
４７は弁ケース３９の先端開口を閉じる弁蓋であり、この弁蓋４７には中央にドライバーを差し込むための溝４８が設けられ、４９は弁座４０の弁取付穴４３にはめ込む取付足５０を設け柔軟な材料で作った弁体である。
【００３０】
以上のような構成の各部品より成る逆止弁３８は、弁ケース３９に弁体４９を弁座４０の弁取付穴４３に弁取付足５０を摺動自在にはめ弁室４１に配備した後、先端の開口に弁蓋４７をしっかりと固定してはめ、弁蓋４７の溝４８にドライバーを差し込んで回すと一体で回るようにして形成する。
【００３１】
従って逆止弁３８は、ジエット噴出装置１１のノズル体２８の取付板３３のねじ穴３４にねじ部４５をはめ弁蓋４７の溝４８にドライバーを差し込んで回して締めると、吸気口２６に対して先端開口に取付管４２をはめ込んだ状態でしっかりと取り付けられられる。
【００３２】
図２においては、（ａ）に弁を閉じた状態、（ｂ）に弁を開いた状態の図が示されており、ジエット噴出装置１１に導湯管２５から導入された湯が、絞り管２７で流速を速められて負圧管２９に噴出すると、負圧管２９内には負圧が形成される。
【００３３】
すると通気穴３２及び４６を通して連通している弁室４１内も負圧となるので、（ｂ）図に示すように、弁体４９は弁座４０から離れる方向に吸引されて開き、矢印に示すように、通気穴４４及び４６を通して吸気管１２から空気が負圧管２９に向かって吸い込まれ、通気穴３２を通じて負圧管２９内に吸い込まれた空気が湯中に混入し、ジエット流となってノズル管３０から浴槽１中に噴出される。
【００３４】
一方導湯管２５への湯の導入が止まると、負圧管２９内の負圧が解消され、（ａ）図に矢印で示すように、湯が通気穴３２及び４６を通して弁室４１に流入し、この流入した湯の圧力で弁体４９が弁座４０に押しつけられて閉じる。
【００３５】
この結果、逆流した湯は弁室４１で止められて通気穴４４を通して吸気管１２に湯が逆流するのを完全に防ぐ。
【００３６】
逆止弁３８をメンテイナンスのために取り外したい場合には、浴槽１内からドライバーを弁蓋４７の溝４８に差し込んで回してねじ部４５を緩めれば簡単に取り外せ、再び浴槽内からドライバーでねじ部４５を締めて簡単に取り付けられる。
【００３７】
次に第２の実施例について図３により説明する。
【００３８】
５１がジエット本体であり、このジエット本体５１は、先端が開口し内面にねじが切られた取付管５２の後端に導湯管５３と吸気口５４が接続し、この第２実施例ので吸気口５４は第１実施例の吸気口２６が湯流れ方向と水平の方向に設けられていたのに対して逆止弁３８の取付口である先端開口を下向きにして斜めに設けてある。
【００３９】
５５は先端が開口し前記ジエット本体５１の取付管５２にはめられる台座管であり、この台座管５５は、後端中央に先細の絞り管５６を貫通した状態で一体として設け、絞り管５６の周囲には複数の通気穴５７を設け、さらに吸気口５４に対向して斜めとした壁面部に逆止弁３８を取り付けるためのねじ穴５８を吸気口５４と軸心を同一として設けている。
【００４０】
５９は負圧管を兼ねるノズル管であり、このノズル管５９の外周の後部には押さえ受板６０が設けられ、６１は外周にねじを切って取付管５２にはめられる押さえリングである。
【００４１】
以上のような各部品から成るジエット噴出装置１１を形成するには、先ず台座管５５を、絞り管５６の後端開口を導湯管５３の先端開口に接続すると同時にねじ穴５８を吸気口５４と位置を合わせてジエット本体５１の取付管５２にはめる。
【００４２】
次に逆止弁３８を、台座管５５のねじ穴５８でねじ締めしながら吸気口５４に対して取り付け、最後にノズル管５９を取付管５２にはめられた押さえリング６１で押さえ受板６０を介して押さえてねじ締めし、後端開口を絞り管５６の先端開口に接続させつつ台座管５５に固定して取り付ける。
【００４３】
以上のように構成されるジエット噴出装置１１では、ノズル管５９は、押さえリング６１のねじを緩めるたり締めたりすることにより浴槽１内から容易に取り外したり、取り付けたりできるようになる。
【００４４】
このため、逆止弁３８を吸気口５４から取り外してメンテイナンスをしたい場合には、浴槽１内から、先ず押さえリング６１のねじを緩めてノズル管５９を取り外し、次いで第１実施例の場合と同様にドライバーを用いて逆止弁３８を取り外せば良い。
【００４５】
このようにノズル管５９が取り外せると、逆止弁３８を取り外す作業をノズル管５９に全く邪魔されないで楽にできるだけでなく、ジエット噴出装置を小型にできる。
【００４６】
なぜなら、吸気口５４を逆止弁３８の取付口を下に向けて斜めに配備し取り外し用の作業部がノズル管５９の後ろに位置するようにしても、ノズル管５９を取り外してしまえば、逆止弁３８を取り外す作業には何の差し障りも出ない。
【００４７】
これにより取付管５２にはノズル管５９との間に浴槽１内から逆止弁３８に対してドライバーを差し込めるようにするための作業空間を特に設ける必要がなくなり、取付管５２の径を細くしジエット噴出装置１１を小型にできる。
【００４８】
【発明の効果】
本発明は以上のように構成され、プレフィルタ装置１０及びジエット噴出装置１１を浴槽１に外側から取り付け吸湯管３、噴湯管９、吸気管１２等を浴槽１の外で陰に隠れて浴室に全く見えないようにしてすっきりと配管し、しかもジエット噴出装置の吸気口に浴槽内から着脱自在に逆止弁を取り付けて吸気管には絶対に湯が逆流しないようにできる浴槽湯の清浄化装置を提供する。
【図面の簡単な説明】
【図１】            第１実施例ジエット噴出装置縦断面図、
【図２】            実施例逆止弁縦断面図、
【図３】            第２実施例ジエット噴出装置縦断面図、
【図４】            浴槽湯の清浄化装置配管図、
【図５】            従来例ジエット噴出装置縦断面図、
【図６】            従来例浴槽内取付ジエット噴出装置ユニット斜視図、
【図７】            従来例浴槽外取付ジェツトジエット噴出装置斜視図。
【符号の説明】
１            浴槽
２            湯
３            吸湯管
４            装置本体
６            循環ポンプ
９            噴湯管
１０            プレフィルタ装置
１１            ジエット噴出装置
２３            ジエット本体
２６            吸気口
２８            ノズル体
３３            取付板
３４            ねじ穴
３８            逆止弁
３９            弁ケース
４５            ねじ部
４９            弁体
５１            ノズル体
５４            吸気口
５５            台座管
５８            ねじ穴
５９            ノズル管
６１            押さえ管
【図１】
0003912811.tif 000002
【図２】
0003912811.tif 000003
【図３】
0003912811.tif 000004
【図４】
0003912811.tif 000005
【図５】
0003912811.tif 000006
【図６】
0003912811.tif 000007
【図７】
0003912811.tif 000008